(57)【要約】【課題】高精細な画像を表示し且つ記録された画像の改竄が困難な画像表示体を実現可能とする。【解決手段】本発明の画像表示体２２は、第１及び第２主面を有している光透過性の中間層２２９と、前記第１主面上に設けられ、或る対象に関する第１情報を物体色の第１画像として表示する第１画像表示部２２０ａと、前記第２主面上に設けられ、前記対象に関する第２情報をレリーフ構造に由来する構造色の第２画像として表示する第２画像表示部２２０ｂとを具備している。【選択図】図２
2011194837.tif 000002
【特許請求の範囲】
【請求項１】
第１及び第２主面を有している光透過性の中間層と、
前記第１主面上に設けられ、或る対象に関する第１情報を物体色の第１画像として表示する第１画像表示部と、
前記第２主面上に設けられ、前記対象に関する第２情報をレリーフ構造に由来する構造色の第２画像として表示する第２画像表示部と
を具備した画像表示体。
【請求項２】
前記対象は生体であり、前記第１及び第２情報の各々は生体情報である請求項１に記載の画像表示体。
【請求項３】
前記第１画像表示部は前記第１画像として顔画像を表示し、前記第２画像表示部は前記第２画像として顔画像を表示する請求項２に記載の画像表示体。
【請求項４】
前記生体は人物であり、前記画像表示体は個人認証に使用される請求項２又は３に記載の画像表示体。
【請求項５】
前記中間層を間に挟んで前記第２画像表示部と向き合い、励起光を照射したときに光源色の画像を表示する第３画像表示部を更に具備した請求項１乃至４の何れか１項に記載の画像表示体。
【請求項６】
前記第１主面上に設けられ、前記第２画像表示部に対応した位置で及び前記第２画像表示部に対応した形状に開口し、前記第２画像の背景を物体色の画像として表示するか、又は、励起光を照射したときに前記第２画像の背景を光源色の画像として表示する第３画像表示部を更に具備した請求項１乃至４の何れか１項に記載の画像表示体。
【請求項７】
前記第２主面上に設けられと向き合い、前記第１画像表示部に対応した位置で及び前記第１画像表示部に対応した形状に開口し、前記第１画像の背景を構造色の画像として表示する第４画像表示部を更に具備した請求項１乃至６の何れか１項に記載の画像表示体。
【請求項８】
前記第２画像表示部は、回折光を射出するレリーフ構造を含み、前記回折光によって前記第２画像を表示する請求項１乃至７の何れか１項に記載の画像表示体。
【請求項９】
前記第２画像表示部は、散乱光を射出するレリーフ構造を含み、前記散乱光によって前記第２画像を表示する請求項１乃至７の何れか１項に記載の画像表示体。
【請求項１０】
前記中間層は、ホログラム、回折格子、赤外線吸収層、蛍光層、及び物体色を表示する印刷パターンからなる群より選択される１つ以上を含んでいる請求項１乃至９の何れか１項に記載の画像表示体。
【請求項１１】
前記第１又は第２画像表示部を間に挟んで前記中間層と向き合った光透過性の保護層を更に具備し、前記保護層は、ホログラム、回折格子、赤外線吸収層、蛍光層、及び物体色を表示する印刷パターンからなる群より選択される１つ以上を含んでいる請求項１乃至１０の何れか１項に記載の画像表示体。
【請求項１２】
請求項１乃至１１の何れか１項に記載の画像表示体と、前記画像表示体を支持した基材とを具備したラベル付き物品。
【請求項１３】
前記基材はカード基材又は冊子である請求項１２に記載のラベル付き物品。
【請求項１４】
個人認証に使用される請求項１２又は１３に記載のラベル付き物品。
【発明の詳細な説明】
【技術分野】
【０００１】
本発明は、例えば個人認証に利用可能な画像表示技術に関する。
【背景技術】
【０００２】
パスポート及びＩＤ（identification）カードなどの個人認証媒体の多くは、目視による個人認証を可能とするために、顔画像を使用している。
【０００３】
例えば、パスポートでは、従来、顔画像を焼き付けた印画紙を冊子体に貼り付けていた。しかしながら、そのようなパスポートには、写真印画の貼り替えによる改竄のおそれがある。
【０００４】
このような理由で、近年では、顔画像の情報をデジタル化し、これを冊子体上に再現する傾向にある。この画像再現方法としては、例えば、転写リボンを用いた感熱転写記録法が検討されている。
【０００５】
しかしながら、昨今、昇華性染料又は着色した熱可塑性樹脂を使用する感熱転写記録方式のプリンタは広く普及している。この状況を考慮すると、パスポートから顔画像を取り除き、そこに別の顔画像を記録することは、必ずしも困難ではない。
【０００６】
特許文献１には、上述した方法で顔画像を記録し、その上に蛍光インキを用いて顔画像を記録することが記載されている。また、特許文献２には、無色又は淡色の蛍光染料と有色の顔料とを含有したインキを用いて顔画像を記録することが記載されている。更に、特許文献３には、通常の顔画像と、パール顔料を用いて形成した顔画像とを並べて配置することが記載されている。
【０００７】
これら技術をパスポートに適用すると、その改竄がより困難になる。しかしながら、蛍光材料を用いて記録した顔画像は、紫外線ランプなどの特殊な光源を使用しない限り観察することはできない。また、パール顔料を用いて形成した顔画像は、肉眼で視認することはできるものの、パール顔料は粒径が大きいため、これを用いて高精細な画像を形成することは困難である。
【先行技術文献】
【特許文献】
【０００８】
【特許文献１】特開２０００−１４１８６３号公報
【特許文献２】特開２００２−２２６７４０号公報
【特許文献３】特開２００３−１７０６８５号公報
【発明の概要】
【発明が解決しようとする課題】
【０００９】
本発明の目的は、高精細な画像を表示し且つ記録された画像の改竄が困難な画像表示体を実現可能とすることにある。
【課題を解決するための手段】
【００１０】
本発明の第１側面は、第１及び第２主面を有している光透過性の中間層と、前記第１主面上に設けられ、或る対象に関する第１情報を物体色の第１画像として表示する第１画像表示部と、前記第２主面上に設けられ、前記対象に関する第２情報をレリーフ構造に由来する構造色の第２画像として表示する第２画像表示部とを具備した画像表示体である。
【００１１】
本発明の第２側面は、前記対象は生体であり、前記第１及び第２情報の各々は生体情報である第１側面に係る画像表示体である。
【００１２】
本発明の第３側面は、前記第１画像表示部は前記第１画像として顔画像を表示し、前記第２画像表示部は前記第２画像として顔画像を表示する第２側面に係る画像表示体である。
【００１３】
本発明の第４側面は、前記生体は人物であり、前記画像表示体は個人認証に使用される第２又は第３側面に係る画像表示体である。
【００１４】
本発明の第５側面は、前記中間層を間に挟んで前記第２画像表示部と向き合い、前記第２画像表示部に対応した位置で及び前記第２画像表示部に対応した形状に開口し、励起光を照射したときに光源色の画像を表示する第３画像表示部を更に具備した第１乃至第４側面の何れかに係る画像表示体である。
【００１５】
本発明の第６側面は、前記第１主面上に設けられ、前記第２画像表示部に対応した位置で及び前記第２画像表示部に対応した形状に開口し、前記第２画像の背景を物体色の画像として表示するか、又は、励起光を照射したときに前記第２画像の背景を光源色の画像として表示する第３画像表示部を更に具備した第１乃至第４側面の何れかに係る画像表示体である。
【００１６】
本発明の第７側面は、前記第２主面上に設けられ、前記第１画像表示部に対応した位置で及び前記第１画像表示部に対応した形状に開口し、前記第１画像の背景を構造色の画像として表示する第４画像表示部を更に具備した第１乃至第６側面の何れかに係る画像表示体である。
【００１７】
本発明の第８側面は、前記第２画像表示部は、回折光を射出するレリーフ構造を含み、前記回折光によって前記第２画像を表示する第１乃至第７側面の何れかに係る画像表示体である。
【００１８】
本発明の第９側面は、前記第２画像表示部は、散乱光を射出するレリーフ構造を含み、前記散乱光によって前記第２画像を表示する第１乃至第７側面の何れかに係る画像表示体である。
【００１９】
本発明の第１０側面は、前記中間層は、ホログラム、回折格子、赤外線吸収層、蛍光層、及び物体色を表示する印刷パターンからなる群より選択される１つ以上を含んでいる第１乃至第９側面の何れかに係る画像表示体である。
【００２０】
本発明の第１１側面は、前記第１又は第２画像表示部を間に挟んで前記中間層と向き合った光透過性の保護層を更に具備し、前記保護層は、ホログラム、回折格子、赤外線吸収層、蛍光層、及び物体色を表示する印刷パターンからなる群より選択される１つ以上を含んでいる第１乃至第１０側面の何れかに係る画像表示体である。
【００２１】
本発明の第１２側面は、第１乃至第１１側面の何れかに係る画像表示体と、前記画像表示体を支持した基材とを具備したラベル付き物品である。
【００２２】
本発明の第１３側面は、前記基材はカード基材又は冊子である第１２側面に係るラベル付き物品である。
【００２３】
本発明の第１４側面は、個人認証に使用される第１２又は第１３側面に係るラベル付き物品である。
【発明の効果】
【００２４】
本発明によると、高精細な画像を表示し且つ記録された画像の改竄が困難な画像表示体を実現することが可能となる。
【００２５】
本発明の第１側面に係る画像表示体は、第１画像表示部を含んでいる。第１画像表示部は、或る対象に関する第１情報を物体色の第１画像として表示する。物体色の第１画像は、通常の照明条件下で観察することができ、しかも、視認性に優れている。
【００２６】
この画像表示体は、第１画像表示部に加え、第２画像表示部を含んでいる。この第２画像表示部は、レリーフ構造に由来する構造色の第２画像を表示する。レリーフ構造を利用した場合、パール顔料を使用した場合と比較して、精細度がより高い画像を表示することができる。また、このような第２画像表示部は、それ自体の偽像又は改竄が困難である。
【００２７】
しかも、この画像表示体では、同一の対象に関する情報を第１及び第２画像表示部に表示させる。そのため、この対象に関する情報を他の対象に関する情報へと書き換えるには、第１及び第２画像表示部の各々を少なくとも部分的に除去しなければならない。
【００２８】
更に、この画像表示体では、第１及び第２画像表示部間に、中間層が介在している。それ故、例えば前面側から又は裏面側から第１及び第２画像表示部の各々を少なくとも部分的に除去するためには、中間層も少なくとも部分的に除去しなければならない。即ち、この画像表示体に記録されている先の対象に関する第１及び第２情報の各々を他の対象の情報に書き換えるには、例えば、第１及び第２画像表示部の一方を除去し、次いで、中間層を少なくとも部分的に除去して第１及び第２画像表示部の他方を露出させ、その後、これを除去する必要がある。このような加工は、不可能であるか又は極めて困難である。しかも、そのような加工が施された画像表示体は、肉眼での観察によって、そのような加工が施されていない画像表示体から比較的容易に判別することができる。
【００２９】
それ故、第１側面に係る画像表示体は、高精細な画像を表示するのに加え、記録された画像の改竄が困難である。
【００３０】
本発明の第２側面に係る画像表示体では、第１及び第２情報の各々は生体情報である。生体情報は、その個体に特有である。それ故、この画像表示体を他の個体のために不正に使用するには、第１及び第２情報の双方を書き換えなければならない。それ故、この場合、第１及び第２情報の少なくとも一方が非生体情報である場合と比較して、画像表示体の不正使用はより困難である。
【００３１】
本発明の第３側面に係る画像表示体では、第１及び第２画像表示部は顔画像を表示する。顔画像は、目視による個体認証に最も適した画像の１つである。
【００３２】
本発明の第４側面に係る画像表示体では、上記生体は人物であり、画像表示体は個人認証に使用される。このような用途は、上記画像表示体の最も利用価値が大きな用途の１つである。
【００３３】
本発明の第５側面に係る画像表示体は、中間層を間に挟んで第２画像表示部と向き合い、励起光を照射したときに光源色の画像を表示する第３画像表示部を更に具備している。このような画像表示体は、励起光を照明する照明条件下において、太陽光及び屋内照明光などの通常の照明条件下とは色及び形状の少なくとも一方が異なる画像を表示する。即ち、この画像表示体は、より複雑な視覚効果を与える。また、第２及び第３画像表示部間には中間層が介在しているので、第２及び第３パターンが表示する画像を書き換えるためには、第２及び第３パターンに加えて中間層を少なくとも部分的に除去しなければならない。即ち、この画像表示体は、情報の改竄がより困難であり、それ故、不正使用がより困難である。
【００３４】
本発明の第６側面に係る画像表示体は、第１主面上に設けられた第３画像表示部を更に具備している。第３画像表示部は、第２画像表示部に対応した位置で及び第２画像表示部に対応した形状に開口しており、第２画像の背景を物体色の画像として表示するか、又は、励起光を照射したときに第２画像の背景を光源色の画像として表示する。この構成を採用した場合、第２画像表示部が表示する第２画像のみを改竄したときに、改竄した第２画像の輪郭と第３画像表示部に設けた開口とに形状又は位置の不一致を生じ易い。それ故、これを利用して、情報が改竄されたことを確認することができる。
【００３５】
本発明の第７側面に係る画像表示体は、第２主面上に設けられた第４画像表示部を更に具備している。第４画像表示部は、第１画像表示部に対応した位置で及び第１画像表示部に対応した形状に開口しており、第１画像の背景を構造色の画像として表示する。この構成を採用した場合も、第１画像表示部が表示する第１画像のみを改竄したときに、改竄した第１画像の輪郭と第４画像表示部に設けた開口とに形状又は位置の不一致を生じ易い。それ故、これを利用して、情報が改竄されたことを確認することができる。
【００３６】
本発明の第８側面に係る画像表示体において、第２画像表示部は、回折光を射出するレリーフ構造を含み、この回折光によって第２画像を表示する。それ故、第２画像の色は、照明方向及び観察方向などに応じて変化する。即ち、この構成を採用すると、複雑な視覚効果を達成することができる。
【００３７】
本発明の第９側面に係る画像表示体において、第２画像表示部は、散乱光を射出するレリーフ構造を含み、この散乱光によって第２画像を表示する。第２画像表示部は散乱光によって第２画像を表示するので、この画像表示体を例えば凹凸表面に貼り付けた場合であっても、この凹凸表面が第２画像の画質に及ぼす影響は比較的小さい。
【００３８】
本発明の第１０側面に係る画像表示体では、中間層は、ホログラム、回折格子、赤外線吸収パターン、蛍光パターン、及び物体色を表示する印刷パターンからなる群より選択される１つ以上を含んでいる。そのような画像表示体は、更に複雑な視覚効果を提供するのに加え、偽造又は情報の改竄が更に困難である。
【００３９】
本発明の第１１側面に係る画像表示体は、第１又は第２画像表示部を間に挟んで中間層と向き合った光透過性の保護層を更に具備している。そのような画像表示体は、第１及び第２画像表示部などの損傷を生じ難い。また、この保護層は、ホログラム、回折格子、赤外線吸収パターン、蛍光パターン、及び物体色を表示する印刷パターンからなる群より選択される１つ以上を含んでいる。そのような画像表示体は、更に複雑な視覚効果を提供するのに加え、偽造又は情報の改竄が更に困難である。
【００４０】
本発明の第１２側面に係るラベル付き物品は、第１乃至第１１側面の何れかに係る画像表示体を含んでいる。それ故、このラベル付き物品は、画像表示体が高精細な画像を表示するのに加え、画像表示体に記録された画像の改竄が困難である。
【００４１】
本発明の第１３側面に係るラベル付き物品では、基材はカード基材又は冊子である。上記のラベル付き物品は、典型的にはそのような形態で利用される。
【００４２】
本発明の第１４側面に係るラベル付き物品は、個人認証に使用される。このような用途は、上記ラベル付き物品の最も利用価値が大きな用途の１つである。
【図面の簡単な説明】
【００４３】
【図１】本発明の一態様に係るラベル付き物品を概略的に示す平面図。
【図２】図１に示すラベル付き物品に採用可能な構造の一例を概略的に示す断面図。
【図３】図１に示すラベル付き物品の一部を拡大して示す平面図。
【図４】図１に示すラベル付き物品の他の部分を拡大して示す平面図。
【図５】図１に示すラベル付き物品の一部を拡大して示す断面図。
【図６】図１に示すラベル付き物品の他の部分を拡大して示す断面図。
【図７】図１に示すラベル付き物品に採用可能な構造の他の例を概略的に示す断面図。
【図８】図１に示すラベル付き物品に採用可能な構造の更に他の例を概略的に示す断面図。
【図９】図１に示すラベル付き物品に採用可能な構造の更に他の例を概略的に示す断面図。
【図１０】図１に示すラベル付き物品に採用可能な構造の更に他の例を概略的に示す断面図。
【図１１】図１に示すラベル付き物品に採用可能な構造の更に他の例を概略的に示す断面図。
【図１２】図１に示すラベル付き物品に採用可能な構造の更に他の例を概略的に示す断面図。
【図１３】図１に示すラベル付き物品に採用可能な構造の更に他の例を概略的に示す断面図。
【図１４】図１に示すラベル付き物品に採用可能な構造の更に他の例を概略的に示す断面図。
【図１５】図１に示すラベル付き物品に採用可能な構造の更に他の例を概略的に示す断面図。
【図１６】図１に示すラベル付き物品に採用可能な構造の更に他の例を概略的に示す断面図。
【図１７】光散乱を利用して構造色を表示する画像表示部に採用可能な構造の一例を概略的に示す平面図。
【図１８】光散乱を利用して構造色を表示する画像表示部に採用可能な構造の他の例を概略的に示す斜視図。
【図１９】光散乱を利用して構造色を表示する画像表示部に採用可能な構造の更に他の例を概略的に示す斜視図。
【図２０】構造色として暗色を表示する画像表示部に採用可能な構造の一例を概略的に示す斜視図。
【図２１】図１に示すラベル付き物品の製造に利用可能な製造装置の一例を概略的に示す図。
【図２２】図１に示すラベル付き物品の製造に利用可能な転写箔の一例を概略的に示す図。
【発明を実施するための形態】
【００４４】
以下、本発明の態様について、図面を参照しながら詳細に説明する。なお、同様又は類似した機能を発揮する構成要素には全ての図面を通じて同一の参照符号を付し、重複する説明は省略する。
【００４５】
図１は、本発明の一態様に係るラベル付き物品を概略的に示す平面図である。  
図１に示すラベル付き物品１００は、個人認証に使用される冊子体、具体的にはパスポートである。図１には、開いた状態の冊子体を描いている。
【００４６】
このラベル付き物品１００は、折り丁１と表紙２とを含んでいる。なお、Ｘ方向及びＹ方向は、表紙２の主面に平行であり且つ互いに交差する方向である。また、Ｚ方向は、Ｘ方向及びＹ方向に対して垂直な方向である。ここでは、一例として、Ｘ方向及びＹ方向は、互いに直交しているとする。
【００４７】
折り丁１は、１枚以上の紙片１１からなる。典型的には、紙片１１上には、文字列及び地紋などの印刷パターンが設けられている。折り丁１は、１枚の紙片１１を又は複数枚の紙片１１の束を二つ折りにすることによって形成されている。紙片１１は、個人情報が記録されるＩＣ（integrated circuit）チップや、このＩＣチップとの非接触での通信を可能とするアンテナなどを内蔵していてもよい。
【００４８】
表紙２は、二つ折りされている。表紙２と折り丁１とは、冊子体を閉じた状態で折り丁１が表紙２によって挟まれるように重ね合わされており、それらの折り目の位置で綴じ合わせなどによって一体化されている。
【００４９】
表紙２は、個人情報を含んだ画像を表示する。この個人情報は、個人の認証に利用する個人認証情報を含んでいる。この個人情報は、例えば、生体情報と非生体個人情報とに分類することができる。
【００５０】
生体情報は、生体の特徴のうち、その個体に特有なものである。典型的には、生体情報は、光学的手法によって識別可能な特徴である。例えば、生体情報は、顔、指紋、静脈及び虹彩の少なくとも１つの画像又はパターンである。
【００５１】
非生体個人情報は、生体情報以外の個人情報である。例えば、非生体個人情報は、氏名、生年月日、年齢、血液型、性別、国籍、住所、本籍地、電話番号、所属及び身分の少なくとも１つである。非生体個人情報は、タイプ打ちによって入力された文字を含んでいてもよく、署名などの手書きを機械読み取りすることによって入力された文字を含んでいてもよく、それらの双方を含んでいてもよい。
【００５２】
図１において、表紙２は、画像Ｉ１ａ、Ｉ１ｂ、Ｉ２、Ｉ３ｃ及びＩ３ｄを表示している。  
画像Ｉ１ａ及びＩ２は、物体色の画像である。ここで、「物体色」は、光の吸収及び反射を利用して表示される色である。具体的には、或る物体が表示する「物体色」は、その物体を構成している材料の光学的性質、例えば反射スペクトル又は透過スペクトルに対応した色である。
【００５３】
画像Ｉ１ａ及びＩ２は、白色光で照明し、肉眼で観察した場合に視認可能である。画像Ｉ１ａ及びＩ２の一方は省略してもよい。
【００５４】
画像Ｉ１ａ及びＩ２は、例えば、染料及び顔料の少なくとも一方、又は、染料及び顔料の少なくとも一方と透明樹脂との混合物で構成することができる。この場合、画像Ｉ１ａ及びＩ２の形成には、サーマルヘッドを用いた熱転写記録法、インクジェット記録法、電子写真法、又はそれらの２つ以上の組み合わせを利用することができる。或いは、画像Ｉ１ａ及びＩ２は、感熱発色剤を含んだ層を形成し、この層にレーザビームで描画することにより形成することができる。或いは、これら方法の組み合わせを利用することができる。画像Ｉ２の少なくとも一部は、ホットスタンプを用いた熱転写記録法によって形成してもよく、印刷法によって形成してもよく、それらの組み合わせを利用して形成してもよい。
【００５５】
画像Ｉ１ｂは、構造色の画像である。ここで、「構造色」は、光の屈折、回折、干渉、反射、又はそれらの２つ以上の組み合わせを利用して表示される色である。具体的には、或る物体が表示する「構造色」は、その物体を構成している材料の光学的性質、例えば屈折率スペクトル及び吸収スペクトルに加え、その物体の構造、例えば、表面若しくは界面の形状並びに層の厚さ及び数に応じて変化する色である。「構造色」を表示する物体を構成している材料は、典型的には、透明材料であるか、金属光沢を有し得る材料であるか、又はそれらの組み合わせである。
【００５６】
「構造色」は、例えば、ホログラム、回折格子、光散乱構造、又はそれらの２つ以上の組み合わせによって表示することができる。また、複数の凹部及び／又は凸部を不規則に又は規則的に配置してなる構造は、凹部及び凸部の幅又は径に対する深さ又は高さの比が十分に大きく、且つ、凹部及び／又は凸部のピッチが十分に小さい場合には、入射光を閉じ込める効果を有し得る。即ち、低反射率を達成し得る。「構造色」は、このような構造、又は、このような構造とホログラム、回折格子及び光散乱構造の１つ以上との組み合わせによって表示してもよい。ここでは、一例として、画像Ｉ１ｂは、回折格子が表示する画像であるとする。画像Ｉ１ｂは、後で詳述するように、例えば、サーマルヘッドを用いた熱転写記録法によって形成する。
【００５７】
画像Ｉ１ａ及びＩ１ｂは、同一人物の顔画像を含んでいる。画像Ｉ１ａが含んでいる顔画像と、画像Ｉ１ｂが含んでいる顔画像とは、同一であってもよく、異なっていてもよい。画像Ｉ１ａが含んでいる顔画像と、画像Ｉ１ｂが含んでいる顔画像とは、寸法が等しくてもよく、異なっていてもよい。また、画像Ｉ１ａ及びＩ１ｂの各々は、顔画像の代わりに他の生体情報を含んでいてもよく、顔画像に加えて顔画像以外の生体情報を更に含んでいてもよい。
【００５８】
画像１１ｂは、生体情報の代わりに非生体個人情報を含んでいてもよく、生体情報に加えて非生体個人情報を更に含んでいてもよい。また、画像１１ｂは、個人情報に加えて非個人情報を更に含んでいてもよい。
【００５９】
画像Ｉ２は、非生体個人情報と非個人情報とを含んでいる。画像Ｉ２は、例えば、文字、記号、符号及び標章の１つ以上を構成している。
【００６０】
画像Ｉ３ｃの少なくとも一部は、画像Ｉ１ａの背景を構成している。画像Ｉ３ｃは、例えば、物体色の画像であるか、又は、構造色の画像である。ここでは、一例として、画像Ｉ３ｃは、構造色の画像であるとする。
【００６１】
画像Ｉ３ｄの少なくとも一部は、画像Ｉ１ｂの背景を構成している。画像Ｉ３ｄは、例えば、物体色の画像であるか、又は、構造色の画像である。ここでは、一例として、画像Ｉ３ｄは、物体色の画像であるとする。
【００６２】
次に、表紙２の構造について、図２乃至図６を参照しながら説明する。  
図２は、図１に示すラベル付き物品に採用可能な構造の一例を概略的に示す断面図である。図３は、図１に示すラベル付き物品の一部を拡大して示す平面図である。図４は、図１に示すラベル付き物品の他の部分を拡大して示す平面図である。図５は、図１に示すラベル付き物品の一部を拡大して示す断面図である。図６は、図１に示すラベル付き物品の他の部分を拡大して示す断面図である。
【００６３】
なお、図３には、表紙２のうち画像Ｉ１ａ及びＩ３ｃに対応した部分の構造を描いている。また、図４には、表紙２のうち画像Ｉ１ｂ及びＩ３ｄに対応した部分の構造を描いている。そして、図５及び図６は、それぞれ、表紙２のうち画像Ｉ１ｂを表示する部分が含んでいる構造と、表紙２のうち画像Ｉ３ｃを表示する部分が含んでいる構造とを描いている。
【００６４】
表紙２は、図２に示すように、表紙本体２１と画像表示体２２とを含んでいる。  
表紙本体２１は、ラベル付き物品１００の基材であって、典型的には紙片である。表紙本体２１は、単層構造を有していてもよく、多層構造を有していてもよい。表紙本体２１は、ラベル付き物品１００を閉じた状態において、折り丁１を挟み込むように二つ折りされている。
【００６５】
画像表示体２２は、多層構造を有している層である。画像表示体２２は、ラベル付き物品１００を閉じた状態において折り丁１と向き合う表紙本体２１の主面に貼り付けられている。
【００６６】
画像表示体２２は、画像表示部２２０ａ乃至２２０ｄを含んでいる。画像表示部２２０ａ乃至２２０ｄは、図１に示す画像Ｉ１ａ、Ｉ１ｂ、Ｉ３ｃ及びＩ３ｄを表示する。画像表示体２２は、図１に示す画像Ｉ２を表示する画像表示部（図示せず）を更に含むことができる。
【００６７】
画像表示部２２０ａは、図２に示すように、領域Ａａに設けられている。画像表示部２２０ａは、或る対象に関する情報を物体色の画像として表示する。ここでは、画像表示部２２０ａは、図１に示す画像Ｉ１ａを表示する。
【００６８】
画像表示部２２０ａは、例えば、染料及び顔料の少なくとも一方と任意の樹脂とを含んだ層である。画像表示部２２０ａは、例えば、サーマルヘッドを用いた熱転写記録法、インクジェット記録法、電子写真法、又はそれらの２つ以上の組み合わせを利用することにより得ることができる。この場合、画像表示部２２０ａは、例えば、図３に示すように二次元的に配列した複数のドットからなる。
【００６９】
画像表示部２２０ｂは、図２に示すように、領域Ａａと隣り合った領域Ａｂに設けられている。画像表示部２２０ｂは、先の対象に関する情報をレリーフ構造に由来する構造色の画像として表示する。ここでは、画像表示部２２０ｂは、図１に示す画像Ｉ１ｂを表示する。
【００７０】
画像表示部２２０ｂは、例えば、図５に示すように回折構造形成層２２３ｂと反射層２２４ｂと接着層２２５ｂとを含んだ層である。反射層２２４ｂは、回折構造形成層２２３ｂと接着層２２５ｂとの間に介在している。画像表示部２２０ｂは、例えば、回折構造形成層２２３ｂと反射層２２４ｂとが接着層２２５ｂと表紙本体２１との間に介在するように設けられる。
【００７１】
回折構造形成層２２３ｂは、一方の主面にレリーフ型の回折格子が設けられた透明層である。回折構造形成層２２３ｂは、例えば、特定の照明方向から白色光で照明して、特定の観察方向から観察した場合に異なる色を表示する第１乃至第３部分を含んでいる。第１乃至第３部分は、回折格子の格子定数及び溝の長さ方向の少なくとも一方が互いに異なっている。特定の観察条件のもとで、第１乃至第３部分は、例えば、青、緑及び赤色を表示する。
【００７２】
回折構造形成層２２３ｂの材料としては、例えば、ポリウレタン樹脂、ポリカーボネート樹脂、ポリスチレン樹脂及びポリ塩化ビニル樹脂などの熱可塑性樹脂、不飽和ポリエステル樹脂、メラミン樹脂、エポキシ樹脂、ウレタンアクリレート、ウレタンメタクリレート、ポリオールアクリレート、ポリオールメタクリレート、メラミンアクリレート、メラミンメタクリレート、トリアジンアクリレート及びトリアジンメタアクリレートなどの熱硬化性樹脂、これらの混合物、又はラジカル重合性不飽和基を有する熱成形性材料を使用することができる。回折構造形成層２２３ｂは、光硬化性を有している樹脂を使用して形成してもよい。なお、このような透明樹脂を用いて得られる回折構造形成層２２３ｂは、典型的には、波長が５５０ｎｍの光に対する屈折率が１．３乃至１．７の範囲内にある。
【００７３】
反射層２２４ｂは、回折構造形成層２２３ｂ上に形成されている。反射層２２４ｂは、回折構造形成層２２３ｂのレリーフ構造が設けられた面の少なくとも一部を被覆している。反射層２２４ｂは省略することができるが、反射層２２４ｂを設けると、回折構造が表示する画像の視認性が向上する。
【００７４】
反射層２２４ｂとしては、例えば、透明反射層又は不透明な反射層を使用することができる。そのような反射層２２４ｂは、例えば、真空蒸着やスパッタリングなどの真空成膜法によって形成することができる。反射層２２４ｂが樹脂を含んでいる場合、反射層２２４ｂは、塗布又は印刷を利用して形成してもよい。
【００７５】
反射層２２４ｂとして透明反射層を使用すると、反射層２２４ｂの背面側に絵柄及び文字等のパターンを配置した場合であっても、これを画像表示体２２の前面側から視認することができる。
【００７６】
透明反射層は、単層構造を有していてもよく、多層構造を有していてもよい。後者の場合、透明反射層は、繰り返し反射干渉を生じるように設計されていてもよい。透明反射層の材料としては、例えば、硫化亜鉛及び二酸化チタンなどの透明誘電体を使用することができる。
【００７７】
透明誘電体からなる単層構造の透明反射層は、典型的には、回折構造形成層２２３ｂと比較して、上述した波長の光に対する屈折率がより大きい。それらの屈折率の差は、例えば０．２以上である。透明反射層に単層構造を採用した場合、その厚さは例えば１０ｎｍ乃至１０００ｎｍの範囲内とする。
【００７８】
透明誘電体からなる多層構造の透明反射層は、典型的には、その回折構造形成層２２３ｂに最も近い層の上述した波長の光に対する屈折率が、回折構造形成層２２３ｂのこの波長の光に対する屈折率と比較してより大きい。それらの屈折率の差は、例えば０．２以上である。
【００７９】
或いは、透明反射層として金属層を使用してもよい。金属層の材料としては、例えば、アルミニウム、錫、銅、銀、金及び鉄などの単体金属又はそれらの合金を使用することができる。金属層は、厚い場合には遮光性であるが、薄くすると透明になる。例えば、厚さが２０乃至４０ｎｍの範囲内にあるアルミニウム層の場合、或る観察条件のもとでは金属光沢を観察できるが、観察角度を変更するとその背景が透けて見える。
【００８０】
透明反射層として、より厚い金属層を使用することも可能である。例えば、比較的厚い金属層を形成し、これに肉眼での識別が困難な径又は幅の開口を多数設ける。例えば、この金属層を、網点又は万線状にパターニングする。これにより、金属材料からなる透明反射層を得ることができる。
【００８１】
不透明な金属反射層の材料としては、例えば、透明反射層としての金属層に関して上述した材料を使用することができる。不透明な金属反射層は、典型的には、肉眼での識別が困難な径又は幅の開口は設けられておらず、光を遮るのに十分な厚さを有している。
【００８２】
透明反射層又は不透明な反射層として、透明樹脂とこの中で分散した粒子とを含んだ層を使用してもよい。この粒子としては、例えば、単体金属及び合金などの金属材料からなる粒子、又は、透明金属酸化物及び透明樹脂などの透明誘電体からなる粒子を使用することができる。透明樹脂中には、粒子を分散させる代わりに、薄片を分散させてもよい。
【００８３】
接着層２２５ｂは、反射層２２４ｂ上に設けられている。接着層２２５ｂは、例えば熱可塑性樹脂からなる。
【００８４】
接着層２２５ｂの材料としては、例えば、ウレタン樹脂、ブチラール樹脂、ポリエステル樹脂、ポリ塩化ビニル及び塩化ビニル−酢酸ビニル共重合体などの塩化ビニル系樹脂、ポリウレタン樹脂、エポキシ樹脂、塩素化ポリプロピレン、アクリル樹脂、ポリスチレン、ポリビニルベンゼン、スチレン−ブタジエン共重合樹脂、スチレンとメタクリル酸アルキル（但し、アルキル基の炭素数は２乃至６）とから得られるポリビニル樹脂などのビニル樹脂、ゴム系材料、又は、これらの２種以上を含んだ混合物を使用することができる。
【００８５】
接着層２２５ｂには、ワックス、ステアリン酸などの高級脂肪酸、その金属塩及びエステル、可塑剤、ポリテトラフルオロエチレン、ポリエチレン、シリコーン樹脂及びポリアクリロニトリルなどの有機材料からなる有機フィラー、並びにシリカからなどの無機材料からなる無機フィラーの１つ以上を添加してもよい。
【００８６】
接着層２２５ｂは、画像表示体２２の構成要素であってもよく、画像表示体２２の構成要素でなくてもよい。また、このラベル付き物品１において、接着層２２５ｂは省略することができる。
【００８７】
画像表示部２２０ｂは、例えば、サーマルヘッドを用いた熱転写記録法により得ることができる。この場合、画像表示部２２０ｂは、例えば、図４に示すように二次元的に配列した複数のドットからなる。
【００８８】
画像表示部２２０ｃは、図２に示すように、領域Ａａ及びＡｂと隣り合い且つ領域Ａａと隣接した領域Ａｃに設けられている。画像表示部２２０ｃは、画像表示部２２０ａに対応した位置で、画像表示部２２０ａに対応した形状に開口している。画像表示部２２０ｃは、画像表示部２２０ａが表示する画像の背景を構造色の画像、例えばレリーフ構造に由来した構造色の画像として表示する。ここでは、画像表示部２２０ｃは、図１に示す画像Ｉ３ｃを表示する。
【００８９】
画像表示部２２０ｃは、例えば、図６に示すように回折構造形成層２２３ｃと反射層２２４ｃと接着層２２５ｃとを含んだ層である。反射層２２４ｃは、回折構造形成層２２３ｃと接着層２２５ｃとの間に介在している。画像表示部２２０ｃは、例えば、回折構造形成層２２３ｃと反射層２２４ｃとが接着層２２５ｃと表紙本体２１との間に介在するように設けられる。
【００９０】
回折構造形成層２２３ｃは、一方の主面にレリーフ型の回折格子が設けられた透明層である。回折構造形成層２２３ｃは、例えば、特定の照明方向から白色光で照明して、特定の観察方向から観察した場合に異なる色を表示する第１乃至第３部分を含んでいる。第１乃至第３部分は、回折格子の格子定数及び溝の長さ方向の少なくとも一方が互いに異なっている。特定の観察条件のもとで、第１乃至第３部分は、例えば、青、緑及び赤色を表示する。
【００９１】
回折構造形成層２２３ｃの材料としては、例えば、回折構造形成層２２３ｂについて上述したものを使用することができる。なお、このような透明樹脂を用いて得られる回折構造形成層２２３ｃは、典型的には、波長が５５０ｎｍの光に対する屈折率が１．３乃至１．７の範囲内にある。
【００９２】
反射層２２４ｃは、回折構造形成層２２３ｃ上に形成されている。反射層２２４ｃは、回折構造形成層２２３ｃのレリーフ構造が設けられた面の少なくとも一部を被覆している。反射層２２４ｃは省略することができるが、反射層２２４ｃを設けると、回折構造が表示する画像の視認性が向上する。
【００９３】
反射層２２４ｃとしては、例えば、反射層２２４ｂについて上述したものを使用することができる。また、反射層２２４ｃは、例えば、反射層２２４ｂについて上述した方法により形成することができる。
【００９４】
接着層２２５ｃは、反射層２２４ｃ上に設けられている。接着層２２５ｃは、例えば熱可塑性樹脂からなる。接着層２２５ｃの材料としては、例えば、接着層２２５ｂについて上述したものを使用することができる。
【００９５】
画像表示部２２０ｃは、例えば、サーマルヘッドを用いた熱転写記録法により得ることができる。この場合、画像表示部２２０ｃは、例えば、図３に示すように二次元的に配列した複数のドットからなる。
【００９６】
画像表示部２２０ｄは、図２に示すように、領域Ａｂと、領域Ａａ乃至Ａｃと隣り合い且つ領域Ａｂと隣接した領域Ａｄとに設けられている。画像表示部２２０ｄの一部は、画像表示部２２０ｂと表紙本体２１との間に介在している。画像表示部２２０ｄは、領域Ａｄにおいて、画像表示部２２０ｂが表示する画像の背景、例えば微細な模様を、物体色の画像として表示する。ここでは、画像表示部２２０ｄは、図１に示す画像Ｉ３ｄを表示する。また、画像表示部２２０ｄは、領域Ａｂにおいて、例えば、画像表示部２２０ｂが表示するのと同様の画像を表示する。或いは、画像表示部２２０ｄは、領域Ａｂにおいて、画像表示部２２０ｂが表示するのとは異なる画像、例えば微細な模様を表示する。
【００９７】
画像表示部２２０ｄは、例えば、染料及び顔料の少なくとも一方と任意の樹脂とを含んだ層である。画像表示部２２０ｄは、例えば、サーマルヘッドを用いた熱転写記録法、インクジェット記録法、電子写真法、又はそれらの２つ以上の組み合わせを利用することにより得ることができる。この場合、画像表示部２２０ｄは、例えば、図４に示すように二次元的に配列した複数のドットからなる。
【００９８】
画像表示部２２０ａ乃至２２０ｄの厚さは、例えば０．１μｍ乃至２．０μｍの範囲内とする。画像表示部２２０ａ乃至２２０ｄは、厚さが互いに等しくてもよく、異なっていてもよい。また、画像表示部２２０ａ乃至２２０ｄの各々は、均一な厚さを有していてもよく、不均一な厚さを有していてもよい。
【００９９】
画像表示部２２０ａ乃至２２０ｄの各々について、隣り合ったドットは、互いから離間していてもよく、互いに接していてもよい。後者の場合、隣り合ったドットは部分的に重なり合っていてもよい。この場合、図３及び図４に示すように複数のドットによって囲まれた隙間が存在していてもよく、そのような隙間は存在していなくてもよい。
【０１００】
画像表示体２２は、図２に示すように、画像表示部２２０ａ乃至２２０ｄに加え、中間層２２９と保護層２２７と接着層２２５とを更に含んでいる。
【０１０１】
中間層２２９は、第１及び第２主面を有している。ここでは、第１主面は前面であり、第２主面は、表紙本体２１と向き合った背面である。画像形成層２２０ｂ及び２２０ｃは中間層２２９の前面側に位置している。他方、画像形成層２２０ａ及び２２０ｄは、中間層２２９の背面側に位置している。
【０１０２】
中間層２２９は、光透過性を有している。例えば、中間層２２９は、全体が透明であるか又は一部が透明な層である。
【０１０３】
中間層２２９は、例えば、透明樹脂からなる。中間層２２９の材料としては、例えば、熱可塑性ポリアクリル酸エステル樹脂、塩化ゴム系樹脂、塩化ビニル−酢酸ビニル共重合樹脂、セルロース系樹脂、塩素化ポリプロピレン系樹脂、エポキシ樹脂、ポリエステル樹脂、ニトロセルロース系樹脂、スリレンアクリレート系樹脂、ポリエーテル系樹脂、及びポリカーボネート系樹脂等の樹脂を単独又は複合して使用することができる。中間層２２９は、単層構造を有していてもよく、多層構造を有していてもよい。
【０１０４】
中間層２２９の厚さは、例えば、１μｍ乃至２０μｍの範囲内とする。中間層２２９が薄い場合、情報を改竄するべく中間層２２９が部分的に除去されたとしても、画像表示体２２を肉眼で観察することによってそのことを判別できない可能性がある。他方、中間層２２９が厚い場合、先の除去部に市販のフィルムを設けると、中間層２２９が市販のフィルムによって部分的に置き換えられたことを、画像表示体２２を肉眼で観察することによって判別できない可能性がある。
【０１０５】
中間層２２９は、面内で均一な光学的性質を有していてもよい。或いは、中間層２２９は、面内で不均一な光学的性質を有していてもよい。
【０１０６】
また、中間層２２９は、ホログラム、回折格子、赤外線吸収層、蛍光層、及び物体色を表示する印刷パターンからなる群より選択される１つ以上を含んでいてもよい。このような中間層２２９は、部分的に除去された場合に、そのことを容易に判別することができる。なお、赤外線吸収層及び蛍光層は、連続膜であってもよく、格子状、島状又はストライプ状にパターニングされていてもよい。後者の場合、中間層２２９には、例えば、パターニングされた赤外線吸収層又は蛍光層とこれを支持した光透過層とを含んだ多層構造を採用する。ここでは、一例として、中間層２２９には、その全体に亘ってレリーフ型のホログラムが設けられていることとする。
【０１０７】
保護層２２７は、中間層２２９の前面を被覆している。保護層２２７と中間層２２９とは、画像表示部２２０ｂ及び２２０ｃを間に挟んでいる。
【０１０８】
保護層２２７は、光透過性を有しており、典型的には透明である。保護層２２７は、画像表示部２２０ａ乃至２２０ｄなどの損傷を抑制する。保護層２２７は、省略することができる。
【０１０９】
保護層２２７は、例えば、熱可塑性樹脂、熱硬化性樹脂、及び紫外線又は電子硬化樹脂などの樹脂からなる。転写箔を利用して画像表示体２２を表紙本体２１に貼り付ける場合は、柔軟性及び箔切れ性の観点で熱可塑性樹脂を使用することが好ましい。
【０１１０】
この熱可塑性樹脂としては、例えば、ポリアクリル酸エステル樹脂、塩化ゴム系樹脂、塩化ビニル−酢酸ビニル共重合樹脂、セルロース系樹脂、塩素化ポリプロピレン系樹脂、エポキシ樹脂、ポリエステル樹脂、ニトロセルロース系樹脂、スリレンアクリレート系樹脂、ポリエーテル系樹脂、ポリカーボネート系樹脂、又はそれらの混合物を使用することができる。箔切れ性や耐摩性を考慮して、この樹脂に、石油系ワックス及び植物系ワックスなどのワックス、ステアリン酸などの高級脂肪酸、その金属塩、エステル及びシリコーンオイルなどの滑材、ポリテトラフルオロエチレン、ポリエチレン、シリコーン樹脂及びポリアクリロニトリルなどの有機材料からなる有機フィラー、並びにシリカからなどの無機材料からなる無機フィラーの１つ以上を添加してもよい。
【０１１１】
保護層２２７の厚さは、例えば、１μｍ乃至２０μｍの範囲内とする。保護層２２７が薄い場合、情報を改竄するべく保護層２２７が部分的に除去されたとしても、画像表示体２２を肉眼で観察することによってそのことを判別できない可能性がある。他方、保護層２２７が厚い場合、先の除去部に市販のフィルムを設けると、保護層２２７が市販のフィルムによって部分的に置き換えられたことを、画像表示体２２を肉眼で観察することによって判別できない可能性がある。
【０１１２】
保護層２２７は、面内で均一な光学的性質を有していてもよい。或いは、保護層２２７は、面内で不均一な光学的性質を有していてもよい。
【０１１３】
また、保護層２２７は、ホログラム、回折格子、赤外線吸収層、蛍光層、及び物体色を表示する印刷パターンからなる群より選択される１つ以上を含んでいてもよい。このような保護層２２７は、部分的に除去された場合に、そのことを容易に判別することができる。なお、赤外線吸収層及び蛍光層は、連続膜であってもよく、格子状、島状又はストライプ状にパターニングされていてもよい。後者の場合、保護層２２７には、例えば、パターニングされた赤外線吸収層又は蛍光層とこれを支持した光透過層とを含んだ多層構造を採用する。
【０１１４】
接着層２２５は、反射層２２４と表紙本体２１との間に介在している。接着層２２５及び中間層２２９は、画像表示部２２０ａ及び２２０ｄを間に挟んでいる。
【０１１５】
接着層２２５は、例えば熱可塑性樹脂からなる。接着層２２５の材料としては、例えば、ウレタン樹脂、ブチラール樹脂、ポリエステル樹脂、ポリ塩化ビニル及び塩化ビニル−酢酸ビニル共重合体などの塩化ビニル系樹脂、ポリウレタン樹脂、エポキシ樹脂、塩素化ポリプロピレン、アクリル樹脂、ポリスチレン、ポリビニルベンゼン、スチレン−ブタジエン共重合樹脂、スチレンとメタクリル酸アルキル（但し、アルキル基の炭素数は２乃至６）とから得られるポリビニル樹脂などのビニル樹脂、ゴム系材料、又は、これらの２種以上を含んだ混合物を使用することができる。
【０１１６】
接着層２２５には、ワックス、ステアリン酸などの高級脂肪酸、その金属塩及びエステル、可塑剤、ポリテトラフルオロエチレン、ポリエチレン、シリコーン樹脂及びポリアクリロニトリルなどの有機材料からなる有機フィラー、並びにシリカからなどの無機材料からなる無機フィラーの１つ以上を添加してもよい。
【０１１７】
接着層２２５は、画像表示体２２の構成要素であってもよく、画像表示体２２の構成要素でなくてもよい。また、接着層２２５は、省略することができる。
【０１１８】
この画像表示体２２は、画像表示部２２０ａを含んでいる。画像表示部２２０ａは、或る人物の顔画像を物体色の画像として表示する。この物体色の顔画像は、通常の照明条件下で観察することができ、しかも、視認性に優れている。
【０１１９】
また、この画像表示体２２は、画像表示部２２０ａに加え、画像表示部２２０ｂを含んでいる。画像表示部２２０ｂは、レリーフ型の回折格子に由来する構造色の画像を表示する。レリーフ構造を利用した場合、パール顔料を使用した場合と比較して、精細度がより高い画像の表示が可能である。
【０１２０】
そして、この画像表示体２２では、画像表示部２２０ａ及び２２０ｂは、同一人物の顔画像を表示する。画像表示部２２０ｂは、それ自体の偽像又は改竄が困難である。それ故、真正品としてのラベル付き物品１００において、画像表示部２２０ａ及び２２０ｂが同一人物の顔画像、特には同一の顔画像を表示する場合、例えば、真正品であるか否かが不明のラベル付き物品が表示する２つの顔画像を比較することにより、その物品の真偽を判定することができる。
【０１２１】
また、画像表示部２２０ｂが表示する画像Ｉ１ｂの色は、照明方向及び観察方向などに応じて変化する。そして、画像表示部２２０ｂには、画像Ｉ１ｂとして、単色の平面画像、多色の平面画像、単色の立体画像、多色の立体画像、又はそれらの２つ以上の組み合わせを表示させることが可能である。即ち、この構成を採用すると、複雑な視覚効果を達成することができる。
【０１２２】
加えて、この画像表示体２２では、画像表示部２２０ａに物体色の画像Ｉ１ａを表示させ、画像表示部２２０ｃに構造色の画像Ｉ３ｃを画像Ｉ１ａの背景として表示させる。また、この画像表示体２２では、画像表示部２２０ｂに構造色の画像Ｉ１ｂを表示させ、画像表示部２２０ｄに物体色の画像Ｉ３ｄを画像Ｉ１ｂの背景として表示させる。このように物体色の画像及び構造色の画像の一方を他方の背景とした場合、物体色の画像を物体色の画像の背景とした場合や、構造色の画像を構造色の画像の背景とした場合と比較して、より特殊な視覚効果を達成することができる。例えば、画像表示部２２０ｃに画像Ｉ３ｃとして立体感がある画像を表示させることにより、画像Ｉ１ａ及びＩ３ｃの組み合わせに、擬似的な立体画像を表示させることができる。
【０１２３】
また、この画像表示体２２では、画像表示部２２０ｄは、領域Ａｄだけでなく、領域Ａｂにも設けられている。即ち、画像表示部２２０ｄの一部は、画像表示部２２０ｂと向き合っている。それ故、画像表示部２２０ｂが光透過性を有している場合、画像表示部２２０ｄが領域Ａｂにおいて表示する画像は、画像表示部２２０ｂを介して透けて見える。即ち、この画像表示体２２は、領域Ａｂにおいて、物体色の画像と構造色の画像とを同時に表示する。即ち、この構成を採用すると、より複雑な視覚効果を達成することができる。
【０１２４】
また、顔画像などの生体情報は、その個体に特有である。それ故、この画像表示体２２を他の個体のために不正に使用するには、画像表示部２２０ａ及び２２０ｂが表示する画像の双方を書き換えなければならない。即ち、画像表示部２２０ａ及び２２０ｂの各々を少なくとも部分的に除去しなければならない。それ故、この場合、これら画像の少なくとも一方が非生体情報である場合と比較して、画像表示体２２の不正使用はより困難である。
【０１２５】
更に、この画像表示体２２では、画像表示部２２０ａ及び２２０ｂ間に、中間層２２９が介在している。この画像表示体２２を含んだラベル付き物品１００では、画像表示体２２は、画像表示部２２０ａが中間層２２９と表紙本体２１との間に介在するように表紙本体２１に支持されている。それ故、例えば前面側から又は裏面側から画像表示部２２０ａ及び２２０ｂの各々を少なくとも部分的に除去するためには、中間層２２９も少なくとも部分的に除去しなければならない。即ち、この画像表示体２２に記録されている顔画像を他の人物の顔画像に書き換えるには、例えば、画像表示体２２を表紙本体２１から剥離し、画像表示体２２の裏面側から画像表示部２２０ａを除去し、次いで、中間層２２９の一部を除去して画像表示部２２０ｂを露出させ、その後、これを除去する必要がある。或いは、画像表示体２２の前面側から画像表示部２２０ｂを除去し、次いで、中間層２２９の一部を除去して画像表示部２２０ａを露出させ、その後、これを除去する必要がある。このような加工は、不可能であるか又は極めて困難である。しかも、特には保護層２２７及び中間層２２９の少なくとも一方がホログラム、回折格子、赤外線吸収層、蛍光層、及び物体色を表示する印刷パターンからなる群より選択される１つ以上を含んでいる場合、そのような加工が施された画像表示体２２は、そのような加工が施されていない画像表示体２２から比較的容易に判別することができる。
【０１２６】
また、この画像表示体２２では、画像表示部２２０ｃは、画像表示部２２０ａに対応した位置で及び画像表示部２２０ａに対応した形状に開口しており、画像Ｉ１ａの背景を構造色の画像Ｉ３ｃとして表示する。この構成を採用すると、画像表示部２２０ａが表示する画像Ｉ１ａのみを改竄したときに、改竄した画像Ｉ１ａの輪郭と画像表示部２２０ｃに設けた開口とに形状又は位置の不一致を生じ易い。それ故、これを利用して、情報が改竄されたことを確認することができる。
【０１２７】
それ故、この画像表示体２２は、記録された画像の改竄が困難である。従って、この画像表示体２２を含んだラベル付き物品１００は、不正使用され難い。
【０１２８】
このラベル付き物品１００には、様々な変形が可能である。  
図７は、図１に示すラベル付き物品に採用可能な構造の他の例を概略的に示す断面図である。
【０１２９】
図７に示すラベル付き物品１００は、以下の点を除いて、図１乃至図６を参照しながら説明したラベル付き物品１００と同様である。
【０１３０】
このラベル付き物品１００の画像表示体２２は、画像表示部２２０ｃ及び２２０ｄを含んでいない。そして、画像表示部２２０ａは、領域Ａａだけでなく、領域Ａｃにも設けられている。また、画像表示部２２０ｂは、領域Ａｂだけでなく、領域Ａｄにも設けられている。即ち、画像表示部２２０ａは、図１に示す画像Ｉ１ａ及びＩ３ｃを物体色の画像として表示する。また、画像表示部２２０ｂは、図１に示す画像Ｉ１ｂ及びＩ３ｄを構造色の画像として表示する。
【０１３１】
この構成を採用した場合、画像表示部２２０ｃ及び２２０ｄを設けることに伴う効果が得られないことを除き、図１乃至図６を参照しながら説明した構成を採用した場合と同様の効果を得ることができる。
【０１３２】
なお、ここでは、画像表示部２２０ａを領域Ａａだけでなく領域Ａｃにも設けているが、画像表示部２２０ａは領域Ａｃに設けなくてもよい。即ち、図１に示す画像Ｉ３ｃは省略してもよい。また、ここでは、画像表示部２２０ｂを領域Ａｂだけでなく領域Ａｄにも設けているが、画像表示部２２０ｂは領域Ａｄに設けなくてもよい。即ち、図１に示す画像Ｉ３ｄは省略してもよい。
【０１３３】
図８は、図１に示すラベル付き物品に採用可能な構造の更に他の例を概略的に示す断面図である。
【０１３４】
図８に示すラベル付き物品１００は、以下の点を除いて、図１乃至図６を参照しながら説明したラベル付き物品１００と同様である。
【０１３５】
このラベル付き物品１００の画像表示体２２は、画像表示部２２０ｃを含んでいない。そして、画像表示部２２０ａは、領域Ａａだけでなく、領域Ａｃにも設けられている。即ち、画像表示部２２０ａは、図１に示す画像Ｉ１ａ及びＩ３ｃを物体色の画像として表示する。
【０１３６】
この構成を採用した場合、画像表示部２２０ｃを設けることに伴う効果が得られないことを除き、図１乃至図６を参照しながら説明した構成を採用した場合と同様の効果を得ることができる。
【０１３７】
図９は、図１に示すラベル付き物品に採用可能な構造の更に他の例を概略的に示す断面図である。
【０１３８】
図９に示すラベル付き物品１００は、以下の点を除いて、図１乃至図６を参照しながら説明したラベル付き物品１００と同様である。
【０１３９】
このラベル付き物品１００の画像表示体２２は、画像表示部２２０ｃを含んでいない。そして、画像表示部２２０ａは、領域Ａａだけでなく、領域Ａｃにも設けられている。即ち、画像表示部２２０ａは、図１に示す画像Ｉ１ａ及びＩ３ｃを物体色の画像として表示する。また、図９に示すラベル付き物品の画像表示体２２は、物体色を表示する画像表示部２２０ｄの代わりに、光源色を表示する画像表示部２２０ｄ’を含んでいる。画像表示部２２０ｄ’は、例えば、蛍光体からなるか、又は、蛍光体と透明樹脂とを含んだ混合物からなる。
【０１４０】
この構成を採用した場合、画像表示部２２０ｃを設けることに伴う効果は得られない。また、画像表示部２２０ｄ’が無色透明である場合には、画像表示部２２０ｄを設けることに伴う効果も得られない。但し、画像表示部２２０ｄ’は、紫外光などの励起光を照射したときに光源色の画像を表示する。そして、画像表示部２２０ｄ’が例えば無色透明である場合には、画像表示部２２０ｄ’を潜像として利用することができる。
【０１４１】
即ち、画像表示部２２０ｄ’が無色透明である場合、画像表示部２２０ｃ及び２２０ｄを設けることに伴う効果は得られないことを除き、図１乃至図６を参照しながら説明した構成を採用した場合と同様の効果を得ることができる。加えて、この場合、画像表示部２２０ｄ’を利用して、励起光を照射することによって可視化する潜像を記録することができる。それ故、このラベル付き物品１００を真正品とした場合、真正品であるか否かが不明のラベル付き物品を励起光で照明して、この物品が表示する画像を観察することにより、その物品が真正品であるか否かを判別することができる。
【０１４２】
また、画像表示部２２０ｄ’が有色透明であるか、無色不透明であるか、又は有色不透明である場合、画像表示部２２０ｃを設けることに伴う効果は得られないことを除き、図１乃至図６を参照しながら説明した構成を採用した場合と同様の効果を得ることができる。加えて、この場合、画像表示部２２０ｄ’は、自然光で照明した場合と励起光で照明した場合とで異なる色を表示する。即ち、複雑な視覚効果を提供する。
【０１４３】
図１０は、図１に示すラベル付き物品に採用可能な構造の更に他の例を概略的に示す断面図である。
【０１４４】
図１０に示すラベル付き物品１００は、以下の点を除いて、図１乃至図６を参照しながら説明したラベル付き物品１００と同様である。
【０１４５】
このラベル付き物品１００の画像表示体２２は、画像表示部２２０ｃを含んでいない。画像表示部２２０ａは、領域Ａａだけでなく、領域Ａｃにも設けられている。即ち、画像表示部２２０ａは、図１に示す画像Ｉ１ａ及びＩ３ｃを物体色の画像として表示する。また、画像表示部２２０ｄは、領域Ａｂには設けられておらず、領域Ａｄにのみ設けられている。
【０１４６】
この構成を採用した場合、以下の事項を除き、図１乃至図６を参照しながら説明した構成を採用した場合と同様の効果を得ることができる。即ち、この構成を採用した場合、画像表示部２２０ｃを設けることに伴う効果は得られない。また、画像表示部２２０ｂが光透過性を有していたとしても、画像表示部２２０ｂを介して画像表示部２２０ｄが透けて見えることはない。但し、この構成を採用した場合、画像表示部２２０ｂが表示する画像Ｉ１ｂを改竄したときに、改竄した画像Ｉ１ｂの輪郭と画像表示部２２０ｄに設けた開口とに形状又は位置の不一致を生じ易い。それ故、これを利用して、情報が改竄されたことを確認することができる。
【０１４７】
図１１は、図１に示すラベル付き物品に採用可能な構造の更に他の例を概略的に示す断面図である。
【０１４８】
図１１に示すラベル付き物品１００は、以下の点を除いて、図１乃至図６を参照しながら説明したラベル付き物品１００と同様である。
【０１４９】
このラベル付き物品１００の画像表示体２２は、画像表示部２２０ｄを含んでいない。そして、画像表示部２２０ｂは、領域Ａｂだけでなく、領域Ａｄにも設けられている。即ち、画像表示部２２０ｂは、図１に示す画像Ｉ１ｂ及びＩ３ｄを構造色の画像として表示する。また、画像表示部２２０ｃは、領域Ａｃだけでなく、領域Ａａにも設けられている。この画像表示部２２０ｃは、少なくとも領域Ａａにおいて光透過性を有している。画像表示部２２０ｃは、図１に示すように、領域Ａｂにおいて、画像Ｉ１ａの背景として画像Ｉ３ｃを表示する。そして、画像表示部２２０ｃは、領域Ａａにおいて、例えば、画像表示部２２０ａが表示するのと同様の画像を表示する。或いは、画像表示部２２０ｃは、領域Ａａにおいて、画像表示部２２０ａが表示するのとは異なる画像、例えば微細な模様を表示する。
【０１５０】
この構成を採用した場合、以下の事項を除き、図１乃至図６を参照しながら説明した構成を採用した場合と同様の効果を得ることができる。即ち、この構成を採用した場合、画像表示部２２０ｄを設けることに伴う効果は得られない。但し、画像表示部２２０ｃの一部は画像表示部２２０ａと向き合っているので、画像表示部２２０ａが領域Ａａにおいて表示する画像は、画像表示部２２０ｃを介して透けて見える。即ち、この画像表示体２２は、領域Ａａにおいて、物体色の画像と構造色の画像とを同時に表示する。それ故、この構成を採用すると、より複雑な視覚効果を達成することができる。
【０１５１】
図１２は、図１に示すラベル付き物品に採用可能な構造の更に他の例を概略的に示す断面図である。
【０１５２】
図１２に示すラベル付き物品１００は、以下の点を除いて、図１乃至図６を参照しながら説明したラベル付き物品１００と同様である。
【０１５３】
このラベル付き物品１００の画像表示体２２は、画像表示部２２０ｄを含んでいない。そして、画像表示部２２０ｂは、領域Ａｂだけでなく、領域Ａｄにも設けられている。即ち、画像表示部２２０ｂは、図１に示す画像Ｉ１ｂ及びＩ３ｄを構造色の画像として表示する。
【０１５４】
この構成を採用した場合、画像表示部２２０ｄを設けることに伴う効果が得られないことを除き、図１乃至図６を参照しながら説明した構成を採用した場合と同様の効果を得ることができる。
【０１５５】
以上の構成では、画像表示部２２０ａ及び２２０ｂをそれぞれ中間層２２９の背面側及び前面側に配置している。以下に説明するように、画像表示部２２０ａ及び２２０ｂは、それぞれ、中間層２２９の前面側及び背面側に配置することも可能である。
【０１５６】
図１３は、図１に示すラベル付き物品に採用可能な構造の更に他の例を概略的に示す断面図である。
【０１５７】
図１３に示すラベル付き物品１００は、以下の点を除いて、図１乃至図６を参照しながら説明したラベル付き物品１００と同様である。
【０１５８】
このラベル付き物品１００の画像表示体２２は、画像表示部２２０ｃ及び２２０ｄを含んでいない。画像表示部２２０ａは、中間層２２９と保護層２２７との間に介在し、領域Ａａだけでなく、領域Ａｃにも設けられている。また、画像表示部２２０ｂは、中間層２２９と接着層２２５との間に介在し、領域Ａｂだけでなく、領域Ａｄにも設けられている。即ち、画像表示部２２０ａは、図１に示す画像Ｉ１ａ及びＩ３ｃを物体色の画像として表示する。また、画像表示部２２０ｂは、図１に示す画像Ｉ１ｂ及びＩ３ｄを構造色の画像として表示する。
【０１５９】
この構成を採用した場合、画像表示部２２０ｃ及び２２０ｄを設けることに伴う効果が得られないことを除き、図１乃至図６を参照しながら説明した構成を採用した場合と同様の効果を得ることができる。
【０１６０】
図１４は、図１に示すラベル付き物品に採用可能な構造の更に他の例を概略的に示す断面図である。
【０１６１】
図１４に示すラベル付き物品１００は、以下の点を除いて、図１乃至図６を参照しながら説明したラベル付き物品１００と同様である。
【０１６２】
このラベル付き物品１００の画像表示体２２は、画像表示部２２０ｃを含んでいない。画像表示部２２０ａは、中間層２２９と保護層２２７との間に介在しており、領域Ａａだけでなく、領域Ａｃにも設けられている。即ち、画像表示部２２０ａは、図１に示す画像Ｉ１ａ及びＩ３ｃを物体色の画像として表示する。また、この画像表示体２２は、画像表示部２２０ｄの代わりに、図９を参照しながら説明した画像表示部２２０ｄ’を含んでいる。画像表示部２２０ｄ’は、中間層２２９と保護層２２７との間に介在している。更に、この画像表示体２２では、画像表示部２２０ｄは、中間層２２９と接着層２２５との間に介在しており、領域Ａｂには設けられておらず、領域Ａｄにのみ設けられている。
【０１６３】
この構成を採用した場合、画像表示部２２０ｃ及び２２０ｄを設けることに伴う効果は得られない。但し、画像表示部２２０ｄ’は、紫外光などの励起光を照射したときに光源色の画像を表示する。そして、画像表示部２２０ｄ’が例えば無色透明である場合には、画像表示部２２０ｄ’を潜像として利用することができる。
【０１６４】
即ち、画像表示部２２０ｄ’が無色透明である場合、画像表示部２２０ｃ及び２２０ｄを設けることに伴う効果は得られないことを除き、図１乃至図６を参照しながら説明した構成を採用した場合と同様の効果を得ることができる。加えて、この場合、画像表示部２２０ｄ’を利用して、励起光を照射することによって可視化する潜像を記録することができる。それ故、このラベル付き物品１００を真正品とした場合、真正品であるか否かが不明のラベル付き物品を励起光で照明して、この物品が表示する画像を観察することにより、その物品が真正品であるか否かを判別することができる。
【０１６５】
また、画像表示部２２０ｄ’が有色透明であるか、無色不透明であるか、又は有色不透明である場合、以下の事項を除き、図１乃至図６を参照しながら説明した構成を採用した場合と同様の効果を得ることができる。即ち、この構成を採用した場合、画像表示部２２０ｃを設けることに伴う効果は得られない。また、画像表示部２２０ｂが光透過性を有していたとしても、画像表示部２２０ｂを介して画像表示部２２０ｄ’が透けて見えることはない。但し、この構成を採用した場合、画像表示部２２０ｂが表示する画像Ｉ１ｂを改竄したときに、改竄した画像Ｉ１ｂの輪郭と画像表示部２２０ｄ’に設けた開口とに形状又は位置の不一致を生じ易い。それ故、これを利用して、情報が改竄されたことを確認することができる。
【０１６６】
図１５は、図１に示すラベル付き物品に採用可能な構造の更に他の例を概略的に示す断面図である。
【０１６７】
図１５に示すラベル付き物品１００は、以下の点を除いて、図１乃至図６を参照しながら説明したラベル付き物品１００と同様である。
【０１６８】
このラベル付き物品１００の画像表示体２２では、画像表示部２２０ａは中間層２２９と保護層２２７との間に介在し、画像表示部２２０ｂ及び２２０ｃは中間層２２９と接着層２２５との間に介在している。この画像表示体２２は、画像表示部２２０ｄを含んでいない。画像表示部２２０ｂは、領域Ａｂだけでなく、領域Ａｄにも設けられている。即ち、画像表示部２２０ｂは、図１に示す画像Ｉ１ｂ及びＩ３ｄを構造色の画像として表示する。
【０１６９】
この構成を採用した場合、画像表示部２２０ｄを設けることに伴う効果が得られないことを除き、図１乃至図６を参照しながら説明した構成を採用した場合と同様の効果を得ることができる。
【０１７０】
図１６は、図１に示すラベル付き物品に採用可能な構造の更に他の例を概略的に示す断面図である。
【０１７１】
図１６に示すラベル付き物品１００は、以下の点を除いて、図１乃至図６を参照しながら説明したラベル付き物品１００と同様である。
【０１７２】
このラベル付き物品１００の画像表示体２２では、画像表示部２２０ａ及び２２０ｄは中間層２２９と保護層２２７との間に介在し、画像表示部２２０ｂは中間層２２９と接着層２２５との間に介在している。この画像表示体２２は、画像表示部２２０ｃを含んでいない。画像表示部２２０ａは、領域Ａａだけでなく、領域Ａｃにも設けられている。即ち、画像表示部２２０ａは、図１に示す画像Ｉ１ａ及びＩ３ｃを物体色の画像として表示する。また、画像表示部２２０ｄは、例えば、少なくとも領域Ａｂにおいて光透過性を有している。或いは、画像表示部２２０ｄは、少なくとも領域Ａｂにおいて、例えば、格子状、島状又はストライプ状のパターンを形成している。
【０１７３】
この構成を採用した場合、以下の事項を除き、図１乃至図６を参照しながら説明した構成を採用した場合と同様の効果を得ることができる。即ち、この構成を採用した場合、画像表示部２２０ｃを設けることに伴う効果は得られない。但し、画像表示部２２０ｄの一部は画像表示部２２０ｂと向き合っているので、画像表示部２２０ｂが領域Ａｂにおいて表示する画像は、画像表示部２２０ｄを介して透けて見える。即ち、この画像表示体２２は、領域Ａｂにおいて、物体色の画像と構造色の画像とを同時に表示する。それ故、この構成を採用すると、より複雑な視覚効果を達成することができる。
【０１７４】
上述した構成においては、画像表示部２２０ｂ及び２２０ｃの各々はレリーフ型の回折格子を含んでいる。画像表示部２２０ｂ及び２２０ｃの少なくとも一方は、レリーフ型の回折格子の代わりにレリーフ型のホログラムを含んでいてもよい。或いは、画像表示部２２０ｂ及び２２０ｃの少なくとも一方は、レリーフ型の回折格子に加えて、レリーフ型のホログラムを含んでいてもよい。或いは、画像表示部２２０ｂ及び２２０ｃの少なくとも一方は、レリーフ型の回折格子の代わりに又はレリーフ型の回折格子に加えて、以下に説明するレリーフ型の光散乱構造又はこの光散乱構造とレリーフ型ホログラムとの組み合わせを含んでいてもよい。
【０１７５】
図１７は、光散乱を利用して構造色を表示する画像表示部に採用可能な構造の一例を概略的に示す平面図である。図１８は、光散乱を利用して構造色を表示する画像表示部に採用可能な構造の他の例を概略的に示す斜視図である。図１９は、光散乱を利用して構造色を表示する画像表示部に採用可能な構造の更に他の例を概略的に示す斜視図である。
【０１７６】
図１７に示す構造では、Ｚ方向に対して垂直な界面ＩＦに、複数の凹部及び／又は凸部ＲＰが設けられている。凹部及び／又は凸部ＲＰは、各々がＸ方向に延びた形状を有しており、Ｙ方向に配列している。凹部及び／又は凸部ＲＰは、Ｘ方向に沿った長さが不均一であり、Ｘ方向及びＹ方向における位置も不規則である。
【０１７７】
この構造は、例えば白色光で照明すると、Ｘ方向に垂直な面内において高い光散乱能を示し、Ｙ方向に垂直な面内においては低い光散乱能を示す。従って、この構造は、散乱光の射出方向を制限することが望まれる場合、即ち光散乱異方性が望まれる場合に適している。
【０１７８】
この構造においては、凹部及び／又は凸部ＲＰの配置を変更することにより、光散乱異方性が変化する。例えば、凹部及び／又は凸部ＲＰのＹ方向における密度を高くすると、光散乱異方性が大きくなる。また、凹部及び／又は凸部ＲＰの長さを短くするか又はそれらの長さ方向の均一性を低下させると、光散乱異方性が小さくなる。
【０１７９】
なお、図１７において、凹部及び／又は凸部ＲＰの長さ方向は、Ｘ方向に対して平行である。凹部及び／又は凸部ＲＰの長さ方向は、Ｘ方向に対して交差していてもよい。また、図１７において、凹部及び／又は凸部ＲＰの長さ方向は、一方向に揃っている。上述した光散乱異方性が得られる限り、凹部及び／又は凸部ＲＰの長さ方向は一方向に揃っていなくてもよい。
【０１８０】
図１８に示す構造では、凹部及び／又は凸部ＲＰは、直方体形状を有している。凹部及び／又は凸部ＲＰは、各々がＸ方向に延びた形状を有しており、Ｙ方向に配列している。凹部及び／又は凸部ＲＰは、Ｘ方向及びＹ方向における位置が不規則であり、Ｘ方向及びＹ方向の寸法も不規則である。このように、光散乱異方性は、凹部及び／又は凸部ＲＰの寸法を変更することによっても変化させることができる。
【０１８１】
図１９に示す構造では、凹部及び／又は凸部ＲＰは、楕円柱形状を有している。凹部及び／又は凸部ＲＰは、各々がＸ方向に延びた形状を有しており、Ｙ方向に配列している。凹部及び／又は凸部ＲＰは、Ｘ方向及びＹ方向における位置が不規則であり、Ｘ方向及びＹ方向の寸法も不規則である。このように、光散乱異方性は、凹部及び／又は凸部ＲＰの形状を変更することによっても変化させることができる。
【０１８２】
光散乱異方性を有している光散乱構造は、例えば、立体画像の表示に利用可能である。即ち、右眼用のサブ画素と左眼用のサブ画素とからなる画素をマトリクス状に配置する。右眼用のサブ画素の一部には、右眼用の視差画像を表示させるべく、右眼用の光散乱構造を設ける。他方、左眼用のサブ画素の一部には、左眼用の視差画像を表示させるべく、左眼用の光散乱構造を設ける。右眼用の光散乱構造と左眼用の光散乱構造とは、凹部及び／又は凸部ＲＰの長さ方向が異なっている。このような構成を採用すると、屋内において典型的な拡散光照明条件下において、拡散光を利用した立体画像の表示が可能となる。
【０１８３】
画像表示部２２０ｂ及び２２０ｃの少なくとも一方は、以下に説明するレリーフ構造を含んでいてもよい。
【０１８４】
図２０は、構造色として暗色を表示する画像表示部に採用可能な構造の一例を概略的に示す斜視図である。
【０１８５】
図２０に示す構造では、界面ＩＦには、二次元的に配列した複数の凹部及び／又は凸部ＲＰが設けられている。この例では、凹部及び／又は凸部ＲＰは、Ｘ方向とＹ方向とに格子状に配列している。凹部及び／又は凸部ＲＰは、斜めに交差する２方向に格子状に配列していてもよい。
【０１８６】
凹部及び／又は凸部ＲＰの各々は、先細り形状を有している。先細り形状は、例えば、半紡錘形状、円錐及び角錐などの錐体形状、又は切頭円錐及び切頭角錐などの切頭錐体形状である。凸部ＰＲの側面は、傾斜面のみで構成されていてもよく、階段状であってもよい。先細り形状は、図２０に示すレリーフ構造の光反射率を小さくするのに役立つ。凹部及び／又は凸部ＲＰは、先細り形状を有していなくてもよい。
【０１８７】
凹部及び／又は凸部ＲＰは、回折格子を形成している。但し、凹部及び／又は凸部ＲＰの中心間距離は、通常の回折格子の格子定数と比較して短い。凹部及び／又は凸部ＲＰの中心間距離は、例えば４００ｎｍ以下である。
【０１８８】
凹部及び／又は凸部ＲＰの高さ又は深さのそれらの中心間距離に対する比は、例えば１／２倍以上であり、典型的には１倍以上である。この比が大きいほど、レリーフ構造の反射率が小さくなる。
【０１８９】
このレリーフ構造は、反射率が小さいため、暗灰色乃至黒色に見える。また、このレリーフ構造は、凹部及び／又は凸部ＲＰの中心間距離が小さいため、視感度が高い回折光を正面方向に射出することはなく、限られた角度範囲内にのみ射出する。即ち、このレリーフ構造は、暗灰色乃至黒色印刷層の如く見える。そして、このレリーフ構造は、回折光を射出し得ることを悟られ難い。
【０１９０】
なお、図２０に示す構造では、凹部及び／又は凸部ＲＰは規則的に配置されているが、凹部及び／又は凸部ＲＰは不規則に配置されていてもよい。そのようなレリーフ構造は、回折光を射出しないが、暗灰色乃至黒色印刷層の如く見える。
【０１９１】
次に、上述したラベル付き物品１００の製造方法を説明する。  
図２１は、図１に示すラベル付き物品の製造に利用可能な製造装置の一例を概略的に示す図である。
【０１９２】
図２１に示す製造装置５００は、例えば、図２を参照しながら説明した構造を採用したラベル付き物品１００の製造に利用可能である。
【０１９３】
ラベル付き物品１００の製造においては、例えば、まず、撮像装置を用いて、人物の顔を撮影する。或いは、印画から顔画像を読み取る。これにより、画像情報を電子情報として得る。この顔画像は、必要に応じて画像処理する。
【０１９４】
次に、図２１に示す製造装置５００を用いて、物品１００’上に、図２に示す画像表示体２２を形成する。なお、物品１００’は、画像表示体２２を省略したラベル付き物品１００、ここでは冊子本体である。
【０１９５】
図２１に示す製造装置５００を用いた画像表示体２２の形成に際しては、熱転写リボン５２０ａｃ、５２０ｂｃ、５２７及び５２９を準備しておく。
【０１９６】
熱転写リボン５２０ａｄは、ロール５４０ｂに巻かれている。熱転写リボン５２０ａｄは、帯状の第１支持体と、その上に形成された第１転写材層とを含んでいる。第１転写材層は、第１支持体によって剥離可能に支持されている。第１転写材層の一部は画像形成層２２０ａとして使用し、第１転写材層の他の一部は画像形成層２２０ｄとして使用する。
【０１９７】
熱転写リボン５２０ｂｃは、ロール５４０ｄに巻かれている。熱転写リボン５２０ｂｃは、帯状の第２支持体と、その上に形成された第２転写材層とを含んでいる。第２転写材層は、第２支持体によって剥離可能に支持されている。第２転写材層の一部は画像形成層２２０ｂとして使用し、第２転写材層の他の一部は画像形成層２２０ｃとして使用する。
【０１９８】
熱転写リボン５２７は、ロール５４０ｃに巻かれている。熱転写リボン５２７は、帯状の第３支持体と、その上に形成された第３転写材層とを含んでいる。第３転写材層は、第３支持体によって剥離可能に支持されている。第３転写材層の一部は保護層２２７として使用する。
【０１９９】
熱転写リボン５２９は、ロール５４０ａに巻かれている。熱転写リボン５２９は、帯状の第４支持体と、その上に形成された第４転写材層とを含んでいる。第４転写材層は、第４支持体によって剥離可能に支持されている。第４転写材層の一部は中間層２２９として使用する。
【０２００】
以上の熱転写リボン５２０ａｃ、５２０ｂｃ、５２７及び５２９を準備したうえで、熱転写リボン５２９及び５２０ａｄを、それぞれ、ロール５４０ａ及び５４０ｂから繰り出し、それらの転写材層が向き合うように熱転写印字装置５５０ａへと送る。熱転写印字装置５５０ａにおいては、熱転写リボン５２０ａｄの第１転写材層の一部を、画像表示部２２０ａ及び２２０ｄとして、その第１支持体から熱転写リボン５２９の第４転写材層上へと熱転写する。
【０２０１】
この熱転写に使用した熱転写リボン５２０ａｄは、ロール５７０ａに巻き取る。他方、画像表示部２２０ａ及び２２０ｄを形成した熱転写リボン５２９は、ガイドローラ５８０ａによって案内して、物品１００’とともに熱転写装置５６０ａへと送る。
【０２０２】
熱転写装置５６０ａにおいては、熱転写リボン５２９の第４転写材層の一部を、画像表示部２２０ａ及び２２０ｄとともに、その第４支持体から物品１００’の表紙本体１２上へと熱転写する。これにより、表紙本体２１上に、画像表示部２２０ａ及び２２０ｄ並びに中間層２２９を形成する。
【０２０３】
なお、この熱転写は、熱転写リボン５２９と表紙本体１２との間に接着層２２５を介在させて行ってもよい。例えば、熱転写リボン５２９及び表紙本体２１の少なくとも一方の上に接着層２２５を形成しておき、その後、熱転写を行ってもよい。
【０２０４】
この熱転写に使用した熱転写リボン５２９は、ガイドローラ５８０ｂ及び５８０ｃによって案内して、巻取りロール５７０ａに巻き取る。他方、この熱転写を終えた物品１００’は、熱転写装置５６０ｂへと送る。
【０２０５】
以上の操作と並行して、熱転写リボン５２７及び５２０ｂｃを、それぞれ、ロール５４０ｃ及び５４０ｄから繰り出し、それらの転写材層が向き合うように熱転写印字装置５５０ｂへと送る。熱転写印字装置５５０ｂにおいては、熱転写リボン５２０ｂｃの第２転写材層の一部を、画像表示部２２０ｂ及び２２０ｃとして、その第２支持体から熱転写リボン５２７の第３転写材層上へと熱転写する。
【０２０６】
この熱転写に使用した熱転写リボン５２０ｂｃは、ロール５７０ｃに巻き取る。他方、画像表示部２２０ｂ及び２２０ｃを形成した熱転写リボン５２７は、ガイドローラ５８０ｄによって案内して、熱転写装置５６０から送り出した物品１００’とともに熱転写装置５６０ｂへと送る。
【０２０７】
熱転写装置５６０ｂにおいては、熱転写リボン５２７の第３転写材層の一部を、画像表示部２２０ｂ及び２２０ｃとともに、その第３支持体から物品１００’の表紙本体１２上に設けられた中間層２２９上へと熱転写する。これにより、中間層２２９上に、画像表示部２２０ｂ及び２２０ｃ並びに保護層２２７を形成する。
【０２０８】
なお、この熱転写は、熱転写リボン５２７と中間層２２９との間に接着層を介在させて行ってもよい。例えば、熱転写リボン５２７及び中間層２２９の少なくとも一方の上に接着層を形成しておき、その後、熱転写を行ってもよい。
【０２０９】
この熱転写に使用した熱転写リボン５２７は、ガイドローラ５８０ｆによって案内して、巻取りロール５７０ｂに巻き取る。そして、この熱転写を終えた物品１００’は、ラベル付き物品１００として熱転写装置５６０ｂから送り出す。  
以上のようにして、ラベル付き物品１００を完成する。
【０２１０】
なお、図７、図８及び図１０乃至図１２を参照しながら説明したラベル付き物品１００は、上記の方法において画像表示部２２０ｃ及び２２０ｄの一方又は双方の形成を省略することによって製造することができる。図９を参照しながら説明したラベル付き物品１００は、上記の方法において画像表示部２２０ｃ及び２２０ｄの形成を省略し、画像表示部２２０ｄ’を形成する工程を追加することによって製造することができる。図１３、図１５及び図１６を参照しながら説明したラベル付き物品１００は、上記の方法において、熱転写リボン５２０ａｄ及び５２０ｃｄをそれぞれロール５４０ｄ及び５４０ｂに巻き、画像表示部２２０ｃ及び２２０ｄの一方又は双方の形成を省略することによって製造することができる。そして、図１４を参照しながら説明したラベル付き物品１００は、上記の方法において、熱転写リボン５２０ａｄ及び５２０ｃｄをそれぞれロール５４０ｄ及び５４０ｂに巻き、画像表示部２２０ｃ及び２２０ｄの形成を省略し、画像表示部２２０ｄ’を形成する工程を追加することによって製造することができる。
【０２１１】
上記の方法では、熱転写を利用して画像表示部２２０ｂ及び２２０ｃを形成しているが、画像表示部２２０ｂ及び２２０ｃは、他の方法により形成してもよい。例えば、保護層２２７上に、回折又は散乱を生じさせるレリーフ構造が一方の主面に設けられた光透過層を予め形成しておく。次いで、このレリーフ構造の回折能又は散乱能を部分的に消失させるか又は部分的に低下させる。例えば、レーザビームなどのエネルギービームを照射して、レリーフ構造の一部を破壊する。或いは、インクジェット印刷などの印刷によってレリーフ構造の一部の上に光透過層と屈折率がほぼ等しい材料、例えば無色の樹脂、典型的には無色透明の樹脂を供給し、滑らかな表面を有しているパターンを形成する。或いは、レリーフ構造の一部にインクジェット印刷などの印刷によってレリーフ構造の一部の上に溶剤を供給し、この供給部において光透過層の表面を溶解させる。その後、必要に応じて、レリーフ構造の上に反射層を形成する。例えば、真空蒸着及びスパッタリングなどの気相堆積法によって反射層を形成する。或いは、金属粒子と透明樹脂との混合物などの光反射性の材料をレリーフ構造に塗布することによって反射層を形成する。以上のようにして、画像表示部２２０ｂ及び２２０ｃを得る。
【０２１２】
画像表示部２２０ｂ及び２２０ｃは、以下の方法により形成してもよい。即ち、回折又は散乱を生じさせるレリーフ構造が一方の主面に設けられた光透過層を、保護層２２７上に予め形成しておく。そして、インクジェット印刷などの印刷によって、レリーフ構造の一部の上に光反射性の材料を供給する。これにより、反射層として、光反射性のパターンを得る。光反射性パターンに対応した部分は、光反射性パターンの開口に対応した部分と比較して回折能又は散乱能がより高い。従って、このような方法でも、画像表示部２２０ｂ及び２２０ｃを得ることができる。
【０２１３】
また、上記の方法では、熱転写を利用して画像表示部２２０ａ及び２２０ｄを形成しているが、画像表示部２２０ａ及び２２０ｄは、他の方法により形成してもよい。例えば、画像表示部２２０ａ及び２２０ｄは、インクジェット印刷などの印刷を利用して形成してもよい。
【０２１４】
図２１を参照しながら説明した方法では、物品１００’への熱転写を２回行う。ラベル付き物品１００は、物品１００’へ熱転写を１回行うことによって製造することも可能である。
【０２１５】
図２２は、図１に示すラベル付き物品の製造に利用可能な転写箔の一例を概略的に示す図である。
【０２１６】
図２２に示す転写箔２０１は、転写材層２２’と、これを剥離可能に支持した支持体２２１とを含んでいる。
【０２１７】
支持体２２１は、例えば樹脂フィルム又はシートである。支持体２２１は、例えば、ポリエチレンテレフタレート（ＰＥＴ）などの耐熱性に優れた材料からなる。支持体２２１の転写材層２２’を支持している主面には、例えばフッ素樹脂又はシリコーン樹脂を含んだ離型層が設けられていてもよい。
【０２１８】
転写材層２２’は、保護層２２７と中間層２２９と接着層２２５と画像形成層２２０ａ乃至２２０ｄとを含んでいる。保護層２２７、中間層２２９及び接着層２２５は、支持体２２１側からこの順に積層されている。画像形成層２２０ａ及び２２０ｄは、中間層２２９と接着層２２５との間に介在している。画像形成層２２０ｂ及び２２０ｃは、中間層２２９と保護層２２７との間に介在している。
【０２１９】
転写材層２２’の全体又は一部は、ラベル付き物品１００の製造に利用する。転写材層２２’又はその一部は、図２に示す画像表示体２２と同様である。
【０２２０】
ラベル付き物品１００の製造においては、例えば、まず、撮像装置を用いて、人物の顔を撮影する。或いは、印画から顔画像を読み取る。これにより、画像情報を電子情報として得る。この顔画像は、必要に応じて画像処理する。この画像情報を利用して、支持体２２１上に転写材層２２’を形成する。次いで、転写材２２１の少なくとも一部を、支持体２２１から物品１００’上へと熱転写する。以上のようにして、ラベル付き物品１００を得る。
【０２２１】
以上、ラベル付き物品としてパスポートを記載したが、上述した技術は、パスポート以外の個人認証媒体に適用することも可能である。例えば、上述した技術は、オリンピック大会などの大会で使用する大会身分証（accreditation card）及びクレジットカードに適用することができる。
【０２２２】
ラベル付き物品の大きさに制限はない。ラベル付き物品を個人認証に利用する場合、その携帯が容易であることが望ましい。オリンピック大会などの大会で使用する大会身分証の寸法は、例えば、約９５ｍｍ×約１５０ｍｍである。パスポートのデータ頁の寸法は、例えば、約１２５ｍｍ×約８８ｍｍである。クレジットカードの寸法は、例えば、役８６ｍｍ×約５４ｍｍである。
【０２２３】
画像表示体を支持させる物品の形状に制限はないが、一般には、この物品は、冊子及びカード基材のように層を含んでいる。この層の厚さは、例えば２０μｍ乃至１０００μｍの範囲内にあり、典型的には５０μｍ乃至８００μｍの範囲内にある。
【０２２４】
画像表示体は、例えば、普通紙、コート紙及び合成紙などの紙に支持させることができる。なお、合成紙は、例えば、ポリプロピレン及びポリスチレンなどプラスチックと炭酸カルシウムなどの無機充填材とを含んだ層である。或いは、合成紙は、そのような層と普通紙との複合材である。
【０２２５】
画像表示体は、塩化ビニル、ポリエチレンテレフタレート及びポリエチレンナフタレートなどのプラスチックからなる層に支持させてもよい。或いは、画像表示体は、セラミックスからなる層に支持させてもよい。
【０２２６】
物品の表面のうち画像表示体を支持させる領域は、その全体に亘って単一の色を有していてもよい。或いは、この領域は、色が互いに異なる複数のサブ領域を含んでいてもよい。画像表示体が表示する画像の視認性を考慮し、先の領域を、白色顔料、例えば、チタンホワイト、炭酸マグネシウム、酸化亜鉛、硫酸バリウム、シリカ、タルク、クレー又は炭酸カルシウムによって白色に着色してもよい。
【０２２７】
上述した技術は、個人認証以外の認証に利用することも可能である。即ち、上述した技術は、ヒト以外の生体の認証に利用してもよく、生体以外の認証に利用してもよい。例えば、上述した技術は、ヒト以外の動物、植物、細菌、証券、工業製品、農産物、海産物又は美術品の認証に利用することができる。
【０２２８】
また、上述した技術は、認証以外の目的で利用することも可能である。例えば、ラベル付き物品又は画像表示体は、玩具、装飾品又は学習教材として利用することができる。
【符号の説明】
【０２２９】
１…折り丁、２…表紙、１１…紙片、２１…表紙本体、２２…画像表示体、２２’…転写材層、１００…ラベル付き物品、１００’…物品、２０１…転写箔、２２０ａ…画像表示部、２２０ｂ…画像表示部、２２０ｃ…画像表示部、２２０ｄ…画像表示部、２２０ｄ’…画像表示部、２２１…支持体、２２３ｂ…回折構造形成層、２２３ｃ…回折構造形成層、２２４ｂ…反射層、２２４ｃ…反射層、２２５ｂ…接着層、２２５ｃ…接着層、２２９…中間層、２２７…保護層、２２５…接着層、５００…製造装置、５２０ａｃ…熱転写リボン、５２０ｂｃ…熱転写リボン、５２７…熱転写リボン、５２９…熱転写リボン、５４０ａ…ロール、５４０ｂ…ロール、５４０ｃ…ロール、５４０ｄ…ロール、５５０ａ…熱転写印字装置、５５０ｂ…熱転写印字装置、５６０ａ…熱転写装置、５６０ｂ…熱転写装置、５７０ａ…巻取りロール、５７０ｂ…巻取りロール、５７０ｃ…巻取りロール、５７０ｄ…巻取りロール、５８０ａ…ガイドローラ、５８０ｂ…ガイドローラ、５８０ｃ…ガイドローラ、５８０ｄ…ガイドローラ、５８０ｅ…ガイドローラ、５８０ｆ…ガイドローラ、Ａａ…領域、Ａｂ…領域、Ａｃ…領域、Ａｄ…領域、Ｉ１ａ…画像、Ｉ１ｂ…画像、Ｉ２…画像、Ｉ３ｃ…画像、Ｉ３ｄ…画像、ＩＦ…界面、ＲＰ…凹部及び／又は凸部。
【図１】
2011194837.tif 000003
【図２】
2011194837.tif 000004
【図３】
2011194837.tif 000005
【図４】
2011194837.tif 000006
【図５】
2011194837.tif 000007
【図６】
2011194837.tif 000008
【図７】
2011194837.tif 000009
【図８】
2011194837.tif 000010
【図９】
2011194837.tif 000011
【図１０】
2011194837.tif 000012
【図１１】
2011194837.tif 000013
【図１２】
2011194837.tif 000014
【図１３】
2011194837.tif 000015
【図１４】
2011194837.tif 000016
【図１５】
2011194837.tif 000017
【図１６】
2011194837.tif 000018
【図１７】
2011194837.tif 000019
【図１８】
2011194837.tif 000020
【図１９】
2011194837.tif 000021
【図２０】
2011194837.tif 000022
【図２１】
2011194837.tif 000023
【図２２】
2011194837.tif 000024